【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
保存袋において、
（Ａ）第１の側壁であって、頂縁部、頂部分、及び底部分を有する、第１の側壁と、
第１の側壁が、
（ａ）前記袋のシフト可能な少なくとも１つのシフト領域であって、前記少なくとも１つのシフト領域が前記第１の側壁の底部分に提供され、前記少なくとも１つのシフト領域が（ｉ）スコアライン、（ｉｉ）くぼみ、及び（ｉｉｉ）第１の側壁に形成されたクリンプのうちの１つを含む、少なくとも１つのシフト領域と、
（ｂ）第１の側壁の頂部分に提供されるカフラインであって、前記カフラインが前記袋のシフト可能な少なくとも１つのシフト領域を含む、カフラインと、
を含み
（Ｂ）開口部をもつ前記袋の内部を形成するために、前記袋の３つの辺に沿って前記第１の側壁に直接接続された第２の側壁であって、前記第２の側壁が頂縁部、頂部分、及び底部分を有し、前記第２の側壁が前記第２の側壁の頂部分に提供されたカフラインを含み、前記カフラインが前記袋のシフト可能な少なくとも１つのシフト領域を含む、第２の側壁と、
前記第１の側壁の頂縁部及び前記第２の側壁の頂縁部の下方に配設されるカフ領域であって、前記カフ領域が前記第１及び第２の側壁の前記頂縁部の各々の下方の地点から前記第１及び第２の側壁の各々の前記カフラインまで延びる、カフ領域と、
を備え、
前記袋が、
（ａ）（ｉ）前記第１の側壁と前記第２の側壁とが互いに隣接して配置されるフラット構成と、（ｉｉ）直立構成であり、前記直立構成において前記袋が実質的に平坦な基底部を有するように、前記第１の側壁と前記第２の側壁とが互いから離隔している直立構成と、の間でシフトし、
（ｂ）前記カフ領域が前記袋への前記開口部を形成している前記第１の側壁と前記第２の側壁の各々の前記カフライン上で前記袋を折り畳む折り返し位置に前記袋をシフトさせることができるように、前記第１の側壁と前記第２の側壁の各々の前記カフラインに関してシフトする、
保存袋。
【請求項２】
前記第１の側壁の前記カフラインの前記少なくとも１つのシフト領域は、（ｉ）スコアライン、（ｉｉ）くぼみ、及び（ｉｉｉ）前記第１の側壁に形成されたクリンプのうちの１つを含む、請求項１に記載の保存袋。
【請求項３】
前記第２の側壁の前記カフラインの前記少なくとも１つのシフト領域は、（ｉ）スコアライン、（ｉｉ）くぼみ、及び（ｉｉｉ）前記第２の側壁に形成されたクリンプのうちの１つを含む、請求項１に記載の保存袋。
【請求項４】
前記第１の側壁が、第１の相互係止クロージャ構造をさらに含み、前記第２の側壁が、第２の相互係止クロージャ構造をさらに含み、前記第１の相互係止クロージャ構造が、前記袋の前記開口部を封止するために前記第２の相互係止クロージャ構造と相互係止するように構成される、請求項１に記載の保存袋。
【請求項５】
前記第１の側壁上には、前記カフラインが前記第１の相互係止クロージャ構造の下方に配設され、前記第２の側壁上には、前記カフラインが前記第２相互係止クロージャ構造の下方に配設されている請求項４に記載の保存袋。
【請求項６】
前記第１の側壁上では、前記カフ領域が前記第１の側壁の前記第１の相互係止クロージャ構造から前記第１の側壁の前記カフラインまで延び、前記第２の側壁上では、前記カフ領域が、前記第２の側壁の前記第２の相互係止クロージャ構造から前記第２の側壁の前記カフラインまで延びる、請求項４に記載の保存袋。
【請求項７】
前記第１の側壁が、前記第１の相互係止クロージャ構造の下方に配設された第３の相互係止クロージャ構造をさらに含み、前記第２の側壁が、前記第２の相互係止クロージャ構造の下方に配設された第４の相互係止クロージャ構造をさらに含み、前記第３の相互係止クロージャ構造が、前記袋の前記開口部を封止するために前記第４の相互係止クロージャ構造と相互係止するように構成される、請求項４に記載の保存袋。
【請求項８】
前記第１の側壁上では、前記カフ領域が前記第１の側壁の前記第３の相互係止クロージャ構造から前記第１の側壁の前記カフラインまで延び、前記第２の側壁上では、前記カフ領域が前記第２の側壁の前記第４の相互係止クロージャ構造から前記第２の側壁のカフラインまで延びる、請求項７に記載の保存袋。
【請求項９】
前記第１及び第２の側壁の各々の前記カフラインが、第１の縁部から、対応する側壁の第２の縁部まで延びる直線を備える、請求項１に記載の保存袋。
【請求項１０】
前記第１及び第２の側壁の各々の前記カフラインが、第１の縁部から、対応する側壁の第２の縁部まで延びる破線を備える、請求項１に記載の保存袋。
【請求項１１】
前記第１及び第２の側壁の各々の前記カフラインが、第１の縁部から、対応する側壁の第２の縁部まで延びる曲線を備える、請求項１に記載の保存袋。
【請求項１２】
前記カフ領域が、前記袋を折り畳むべき場所及び折り返すべき場所についてユーザに目印を提供するために、パターン帯を備える、請求項１に記載の保存袋。
【請求項１３】
前記パターン帯は、（ｉ）印刷パターン、及び（ｉｉ）テクスチャのうちの少なくとも１つを含む、請求項１２に記載の保存袋。
【請求項１４】
前記パターン帯が、エンボス加工によって形成された、請求項１２に記載の保存袋。
【請求項１５】
前記第１の側壁及び前記第２の側壁のうちの少なくとも１つの底部分が、パターン区域を備える、請求項１２に記載の保存袋。
【請求項１６】
前記パターン帯及び前記パターン区域のうちの少なくとも１つが、エンボス加工によって形成された、請求項１５に記載の保存袋。
【請求項１７】
前記パターン帯が、前記パターン区域の前記パターンと同じパターンを備える、請求項１５に記載の保存袋。
【請求項１８】
前記パターン帯が、前記パターン区域の前記パターンとは異なるパターンを備える、請求項１５に記載の保存袋。
【請求項１９】
前記第１の側壁及び前記第２の側壁の各々が、前記第１及び第２の側壁の前記頂縁部の各々の下方の地点から少なくとも前記第１及び第２の側壁の各々の前記底部分まで延びるパターン区域を備え、
前記第１及び第２の側壁の各々の前記パターン区域が、（ｉ）前記第１及び第２の側壁の各々のカフラインを隠すこと、（ｉｉ）前記第１の側壁の前記少なくとも１つのシフト領域を隠すこと、（ｉｉｉ）前記第１及び第２の側壁の各々に剛性を加えること、及び（ｉｖ）前記袋を折り畳むべき場所及び折り返すべき場所についてユーザに目印を提供することを含む、請求項１に記載の保存袋。
【請求項２０】
前記パターン区域が、エンボス加工によって形成された、請求項１９に記載の保存袋。
【請求項２１】
前記第１の側壁が、（ｉ）前記第１の側壁の第１の隅角部の近くから延びるシフト領域、及び（ｉｉ）前記第１の側壁の第２の隅角部から延びるシフト領域の前記少なくとも１つのシフト領域を含み、
前記直立構成において、前記実質的に平坦な基底部が前記袋のために形成されるように、前記第１の側壁のシフト領域の各々に関して前記袋がシフトされる、請求項１に記載の保存袋。
【請求項２２】
前記第１の側壁の前記少なくとも１つのシフト領域は、（ｉ）前記第１の側壁の第１の隅角部の近くから延びる第１のシフト領域、（ｉｉ）前記第１の側壁の第１の隅角部の近くから延びる第２のシフト領域、（ｉｉｉ）前記第１の側壁の第２の隅角部の近くから延びる第３のシフト領域、及び（ｉｖ）前記第１の側壁の第２の隅角部の近くから延びる第４のシフト領域を含み、
前記直立構成では、前記袋に前記実質的に平坦な基底部が形成されるように、前記第１の側壁の前記第１、第２、第３及び第４のシフト領域に関して、前記袋をシフトさせる、請求項１に記載の保存袋。
【請求項２３】
前記第２の側壁は、前記袋がシフト可能な少なくとも１つのシフト領域をさらに含み、前記少なくとも１つのシフト領域は、前記第２の側壁の前記底部分に提供され、前記少なくとも１つのシフト領域は、（ｉ）スコアライン、（ｉｉ）くぼみ、及び（ｉｉｉ）第２の側壁に形成されたクリンプのうちの１つを含む、請求項１に記載の袋。
【請求項２４】
前記第２の側壁の前記少なくとも１つのシフト領域は、（ｉ）前記第２の側壁の第１の隅角部の近くから延びるシフト領域、及び（ｉｉ）前記第２の側壁の第２の隅角部の近くから延びるシフト領域を含み、
前記直立構成では、前記袋に対して実質的に平坦な基底部が形成されるように、前記第２の側壁のシフト領域の各々に関して前記袋をシフトさせる、請求項２３に記載の保存袋。
【請求項２５】
前記第２の側壁の前記少なくとも１つのシフト領域は、（ｉ）前記第２の側壁の第１の隅角部の近くから延びる第１のシフト領域、（ｉｉ）前記第２の側壁の第１の隅角部の近くから延びる第２のシフト領域、（ｉｉｉ）第２の側壁の第２の隅角部の近くから延びる第３のシフト領域、及び（ｉｖ）第２の側壁の第２の隅角部の近くから延びる第４のシフト領域を含み、
前記直立構成では、前記袋に前記実質的に平坦な基底部が形成されるように、前記第２の側壁の第１、第２、第３及び第４のシフト領域に関して、前記袋をシフトさせる、請求項２３に記載の保存袋。